(57)【特許請求の範囲】
【請求項１】
通信相手機器と伝送路が暗号化される方式で接続する接続手段と、
ディスプレイに表示される映像データを符号化する第１の符号化手段と、
前記第１の符号化手段により符号化された前記映像データを暗号化する暗号化手段と、
スピーカに出力される音声データを符号化する第２の符号化手段と、
前記暗号化手段により暗号化された前記映像データと、前記第２の符号化手段により符号化された前記音声データと、前記映像データの著作権保護有無に関する情報に前記音声データの著作権保護有無に関する情報を含めた通知情報とを含む多重化データを生成する多重化手段と、
前記多重化手段により生成された前記多重化データを、暗号化された前記伝送路に無線通信により送出するコンテンツ転送手段と、
を具備する電子機器。
【請求項２】
前記ディスプレイに表示される前記映像データおよび前記スピーカに出力される前記音声データは、１つのコンテンツに含まれるものであって、
前記コンテンツが著作権保護されたコンテンツか否かを判別する判別手段を更に備え、
前記暗号化手段は、前記コンテンツが著作権保護されたコンテンツであると判別された場合に前記映像データを暗号化し、
前記多重化手段は、前記コンテンツが著作権保護されたコンテンツであると判別された場合に前記多重化データを生成する、
請求項１記載の電子機器。
【請求項３】
前記多重化手段は、前記コンテンツが著作権保護されたコンテンツではないと判別された場合、前記第１の符号化手段により符号化された前記映像データと、前記第２の符号化手段により符号化された前記音声データとを含む第２の多重化データを生成する請求項２記載の電子機器。
【請求項４】
ディスプレイに表示される映像データを符号化し、
前記符号化した前記映像データを暗号化し、
スピーカに出力される音声データを符号化し、
前記暗号化した前記映像データと、前記符号化した前記音声データと、前記映像データの著作権保護有無に関する情報に前記音声データの著作権保護有無に関する情報を含めた通知情報とを含む多重化データを生成し、
前記生成した前記多重化データを、暗号化された伝送路に無線通信により送出する、
電子機器のコンテンツ転送方法。
【請求項５】
前記ディスプレイに表示される前記映像データおよび前記スピーカに出力される前記音声データは、１つのコンテンツに含まれるものであって、
前記コンテンツが著作権保護されたコンテンツか否かを判別し、
前記映像データを暗号化することは、前記コンテンツが著作権保護されたコンテンツであると判別された場合に前記映像データを暗号化し、
前記多重化データを生成することは、前記コンテンツが著作権保護されたコンテンツであると判別された場合に前記多重化データを生成する、
請求項４記載のコンテンツ転送方法。
【請求項６】
前記多重化データを生成することは、前記コンテンツが著作権保護されたコンテンツではないと判別された場合、前記符号化した前記映像データと、前記符号化手段した前記音声データとを含む第２の多重化データを生成する請求項５記載のコンテンツ転送方法。
【発明の詳細な説明】
【技術分野】
【０００１】
本発明の実施形態は、著作権の保護が求められるコンテンツをＬＡＮ（Local area network）等の伝送路を介して転送するコンテンツ転送技術に関する。
【背景技術】
【０００２】
近年、パーソナルコンピュータやスマートフォン等、デジタル化された映像や音声を取扱い可能な電子機器が広く普及している。この種の電子機器は、一般的に、データ通信機能を搭載しており、いわゆるＡＶ（Audio and visual）コンテンツを他の電子機器との間で送受信することが可能である。
【０００３】
一方、ＡＶコンテンツの中には、複製が制限される等、著作権の保護が求められるものも少なくない。そのために、著作権保護を図りつつ、ＡＶコンテンツを複数の電子機器の間で送受信するための仕組みがこれまでも種々提案されている。
【先行技術文献】
【特許文献】
【０００４】
【特許文献１】特開２００９−７１７８６号公報
【発明の概要】
【発明が解決しようとする課題】
【０００５】
映像の著作権を保護するための方式として、例えば、ＨＤＣＰ（High-bandwidth digital content protection system）が知られている。また、音声の著作権を保護するための方式として、例えば、ＳＣＭＳ（Serial copy management system）が知られている。ＨＤＣＰは、著作権保護対象データの暗号化を伴う方式であり、ＳＣＭＳは、著作権保護対象データの暗号化を伴わない方式である。よって、１つのＡＶコンテンツに含まれる映像と音声との間において、著作権の保護という目的は共通するものの、一方は暗号化が要求されるのに対し、他方は暗号化までは要求されない等、著作権の保護として求められる対策の程度が異なる場合も考えられる。
【０００６】
ところで、これまで、１つのＡＶコンテンツを１つの伝送路に送出する際に適用される著作権保護方式は１つであって、１つのＡＶコンテンツを１つの伝送路に送出する際に複数の著作権保護方式を適用することは全く考慮されていない。そのために、例えば、映像に対して要求される暗号化を、暗号化までは要求されない音声に対しても実施する必要があった。しかしながら、そうすると、ＡＶコンテンツの送信側および受信側双方の電子機器において、（本来ならば必要のない）音声を暗号化・復号するためのモジュールを搭載するといった無用なコストアップを招いてしまう。
【０００７】
本発明は、著作権の保護が求められるコンテンツの転送機能を低コストで実現する電子機器およびコンテンツ転送方法を提供することを目的とする。
【課題を解決するための手段】
【０００８】
実施形態によれば、電子機器は、接続手段と、第１の符号化手段と、第２の符号化手段と、多重化手段と、コンテンツ転送手段と、を具備する。接続手段は、通信相手機器と伝送路が暗号化される方式で接続する。第１の符号化手段は、ディスプレイに表示される映像データを符号化する。暗号化手段は、前記第１の符号化手段により符号化された前記映像データを暗号化する。第２の符号化手段は、スピーカに出力される音声データを符号化する。多重化手段は、前記暗号化手段により暗号化された前記映像データと、前記第２の符号化手段により符号化された前記音声データと、前記映像データの著作権保護有無に関する情報に前記音声データの著作権保護有無に関する情報を含めた通知情報とを含む多重化データを生成する。コンテンツ転送手段は、前記多重化手段により生成された前記多重化データを、暗号化された前記伝送路に無線通信により送出する。
【図面の簡単な説明】
【０００９】
【図１】第１実施形態に係る著作権保護コンテンツ転送システムのシステム構成を示す図。
【図２】第１実施形態の著作権保護コンテンツ転送システムのコンテンツ送信器側の動作手順を示すフローチャート。
【図３】第１実施形態の著作権保護コンテンツ転送システムのコンテンツ送信器が実行する映像のエンコード処理の手順を示すフローチャート。
【図４】第１実施形態の著作権保護コンテンツ転送システムのコンテンツ送信器が実行する音声のエンコード処理の手順を示すフローチャート。
【図５】第１実施形態の著作権保護コンテンツ転送システムのコンテンツ受信器側の動作手順を示すフローチャート。
【図６】第１実施形態の著作権保護コンテンツ転送システムのコンテンツ受信器が実行する映像のデコード処理の手順を示すフローチャート。
【図７】第１実施形態の著作権保護コンテンツ転送システムのコンテンツ受信器が実行する音声のデコード処理の手順を示すフローチャート。
【図８】第１実施形態の著作権保護コンテンツ転送システムのコンテンツ送信器に搭載される著作権保護つきコンテンツの転送機能の機能ブロックを示す図。
【図９】第２実施形態に係る著作権保護コンテンツ転送システムのシステム構成を示す図。
【図１０】第２実施形態の著作権保護コンテンツ転送システムのコンテンツ送信器に搭載される著作権保護つきコンテンツの転送機能の機能ブロックを示す図。
【発明を実施するための形態】
【００１０】
以下、実施の形態について図面を参照して説明する。
【００１１】
（第１実施形態）
まず、第１実施形態について説明する。
【００１２】
図１は、本実施形態に係る著作権保護コンテンツ転送システムのシステム構成を示す図である。
【００１３】
図１に示すように、本実施形態の著作権保護コンテンツ転送システムは、コンテンツ送信器１、コンテンツ受信器２および音声再生器３から構成される。コンテンツ送信器１とコンテンツ受信器２との間は、例えばIEEE802.11規格の無線ＬＡＮ（Ｗｉ−Ｆｉ）によって接続され、また、コンテンツ受信器２と音声再生器３との間は、例えばＳ／ＰＤＩＦによって接続されるものとする。
【００１４】
コンテンツ送信器１は、例えばＰＣ（Personal computer）であり、コンテンツ（ディスプレイ等に出力する映像およびスピーカ等に出力する音声)をエンコード後、Ｗｉ−Ｆｉ経由でコンテンツ受信器２へ送信する。
【００１５】
コンテンツ受信器２は、例えばテレビジョン受像機であり、コンテンツ送信器１から受信した（エンコードされた）コンテンツをデコードし、映像を画面に表示する。音声については、このデコード後、コンテンツ受信器２に内蔵されたスピーカまたはＳ／ＰＤＩＦ経由で音声再生器３から出力する。
【００１６】
コンテンツ送信器１とコンテンツ受信器２との間で転送されるコンテンツのデータフォーマットは、例えばＭＰＥＧ２−ＴＳ形式であり、転送プロトコルは、例えばＲＴＰ（Real-time transport protocol）である。そして、本実施形態の著作権保護コンテンツ転送システムは、映像ＥＳを保護するための著作権保護方式（第１の著作権保護方式）として、例えばＨＤＣＰ（High-bandwidth digital content protection system）２．０または当該ＨＤＣＰ２．０の後継規格を適用し、音声ＥＳを保護するための著作権保護方式（第２の著作権保護方式）として、例えばＳＣＭＳ（Serial copy management system）を適用する。即ち、本実施形態の著作権保護コンテンツ転送システムは、１つのコンテンツを１つの伝送路で転送するにあたって、当該１つのコンテンツに対して複数の著作権保護方式を適用する。
【００１７】
まず、図２を参照して、本実施形態の著作権保護コンテンツ転送システムにおける、コンテンツ送信器１が映像および音声を送信してからコンテンツ受信器２が当該映像および音声を再生するまでの手順のうち、コンテンツ送信器１側の動作について説明する。
【００１８】
コンテンツ送信器１の電源がＯＮされた後、ユーザ操作によりコンテンツ転送アプリケーション（プログラム）が起動されると、コンテンツ送信器１は、Ｗｉ−Ｆｉ経由でコンテンツ受信器２との接続を試みる。コンテンツ受信器２との接続が確立されると（ブロックＡ１）、コンテンツ送信器１は、コンテンツ受信器２との間で、ＨＤＣＰ２．０に従った認証および鍵交換の処理を実行する（ブロックＡ２）。これにより、著作権保護つきコンテンツ（著作権の保護が求められるコンテンツ）を転送する際の映像ＥＳ用の暗号鍵およびイニシャルベクター（ＩＶ）の一部rivが決定される。
【００１９】
コンテンツ送信器１は、ディスプレイ等に出力する映像とスピーカ等に出力する音声のエンコードを開始する（ブロックＡ３）。映像のエンコード処理および音声のエンコード処理の詳細については、図３および図４を用いて後述する。例えばＤＶＤプレーヤアプリケーション等でＤＶＤに書き込まれた著作権保護つきコンテンツを再生している場合（ブロックＡ４のＹＥＳ）、コンテンツ送信器１は、著作権保護有無判定として、ＣＰ（Copy protection）フラグをＯＮにする（ブロックＡ５）。なお、ここでは、転送対象のコンテンツをコンテンツ送信器１で再生し、再生したコンテンツを再エンコードしてコンテンツ受信器２に転送するという仕様を前提としているので、単純化のために、ＤＶＤの再生有無でＣＰフラグのＯＮ／ＯＦＦを判定しているが、ＤＶＤ自体に埋め込まれた著作権保護情報を判定基準に追加してもよい。
【００２０】
コンテンツ転送アプリケーションの起動直後、ＣＰフラグがＯＮからＯＦＦに切り替わったとき、またはＣＰフラグがＯＦＦからＯＮに切り替わったときのいずれかの場合（ブロックＡ６のＹＥＳ）、コンテンツ送信器１は、映像ＥＳ、音声ＥＳのＰＩＤを記述したＰＭＴ（Program map table)を生成し（ブロックＡ７）、さらにＣＰフラグがＯＮのときは（ブロックＡ８のＹＥＳ）、ＨＤＣＰ２．０で規定されているregistration_descriptorをＰＭＴに挿入する（ブロックＡ９）。コンテンツ送信器１は、生成したＰＭＴを含むＭＰＥＧ２−ＴＳパケットを、コンテンツ受信器２へ転送するコンテンツデータへ挿入する。ＰＭＴは、コンテンツ受信器２側でのストリーム情報の確認のため、例えば１秒ごと等の一定期間ごとに生成し、コンテンツデータへ挿入してもよい。このとき生成されるＰＭＴは、ＣＰフラグが切り替わらない限り同一データである。
【００２１】
続いて、コンテンツ送信器１は、後述する映像エンコード、音声エンコードにより生成されたＰＥＳ形式のコンテンツデータを使って、ＭＵＸ（多重化）処理によりＭＰＥＧ２−ＴＳ形式のコンテンツデータを生成し（ブロックＡ１０）、コンテンツ受信器２へＲＴＰにより送信する（ブロックＡ１１）。コンテンツ送信器１は、コンテンツ転送アプリケーション起動中、上記の動作を順次繰り返す。
【００２２】
図３は、映像のエンコード処理の手順を示すフローチャートである。
【００２３】
コンテンツ送信器１は、まず、ディスプレイ等に出力された映像を、Ｈ．２６４等のコーデックに従ってＰＥＳ形式でエンコードする（ブロックＢ１）。
【００２４】
コンテンツ送信器１は、ＣＰフラグがＯＮであれば（ブロックＢ２のＹＥＳ）、イニシャルベクターの一部である、ＨＤＣＰ２．０で規定されているinputCtr,streamCtrを決定し、同じくＨＤＣＰ２．０で規定されているPES_private_dataを生成する（ブロックＢ３）。次に、コンテンツ送信器１は、決定したinputCtr,streamCtrと、鍵交換処理(ブロックＡ２)により生成された暗号鍵およびイニシャルベクターの一部rivとを組み合わせて、暗号鍵とイニシャルベクターとを設定する（ブロックＢ４）。コンテンツ送信器１は、ＰＥＳペイロードをＨＤＣＰ２．０で採用されているＡＥＳ−ＣＴＲ方式により暗号化し（ブロックＢ５）、生成したPES_private_dataをＰＥＳヘッダへ挿入する（ブロックＢ６）。そして、コンテンツ送信器１は、生成した映像ＰＥＳをＭＵＸへ出力する（ブロックＢ７）。コンテンツ送信器１は、コンテンツ転送アプリケーション起動中、上記の動作を順次繰り返す。
【００２５】
図４は、音声のエンコード処理の手順を示すフローチャートである。
【００２６】
コンテンツ送信器１は、まず、スピーカ等に出力された音声を、ＡＡＣ等のコーデックに従ってＰＥＳ形式でエンコードする（ブロックＣ１）。コンテンツ送信器１は、生成した音声ＰＥＳをＭＵＸへ出力する（ブロックＣ２）。コンテンツ送信器１は、コンテンツ転送アプリケーション起動中、上記の動作を順次繰り返す。
【００２７】
なお、上記手順では、音声ＰＥＳとしては暗号化されないが、Ｗｉ−Ｆｉ接続時にＷＰＡ方式等で接続すると、伝送路上が暗号化されてコンテンツデータが転送される。即ちこの場合には、音声ＥＳを含めたＭＰＥＧ２−ＴＳ形式のコンテンツデータ全体が暗号化される。
【００２８】
次に、図５を参照して、本実施形態の著作権保護コンテンツ転送システムにおける、コンテンツ送信器１が映像および音声を送信してからコンテンツ受信器２が当該映像および音声を再生するまでの手順のうち、コンテンツ受信器２側の動作について説明する。
【００２９】
コンテンツ受信器２の電源がＯＮされた後、ユーザ操作によりコンテンツ転送モードへの切替えが行われると、コンテンツ受信器２は、コンテンツ送信器１からのＷｉ−Ｆｉ経由の接続を待つ。コンテンツ送信器から接続要求を受け、コンテンツ送信器１との接続が確立されると（ブロックＤ１）、コンテンツ受信器２は、コンテンツ送信器１との間で、ＨＤＣＰ２．０に従った認証および鍵交換の処理を実行する（ブロックＤ２）。これにより、著作権保護つきコンテンツを転送する際の映像ＥＳ用の復号鍵およびイニシャルベクターの一部rivが決定される。
【００３０】
コンテンツ受信器２は、映像と音声のデコードを開始する（ブロックＤ３）。映像のデコード処理および音声のデコード処理の詳細については、図６および図７を用いて後述する。
【００３１】
コンテンツ受信器２は、コンテンツ送信器１から転送されたコンテンツデータをＲＴＰにより受信し（ブロックＤ４）、ＰＭＴを解析する（ブロックＤ５）。ＰＭＴ内にregistration_descriptorが含まれていた場合（ブロックＤ６のＹＥＳ）、コンテンツ受信器２は、ＣＰフラグをＯＮにセットし（ブロックＤ７）、一方、含まれていない場合（ブロックＤ６のＮＯ）、ＣＰフラグをＯＦＦにセットする（ブロックＤ８）。コンテンツ受信器２は、ＰＭＴを解析して得られたストリーム情報を使って、ＭＰＥＧ２−ＴＳパケットをフィルタリングし、コンテンツデータから映像ＥＳ、音声ＥＳをＤＥＭＵＸ（分離）する（ブロックＤ９）。コンテンツ受信器２は、コンテンツ送信器１からのコンテンツ転送中、上記の動作を順次繰り返す。
【００３２】
図６は、映像のデコード処理の手順を示すフローチャートである。
【００３３】
ＤＥＭＵＸにより映像ＥＳが入力されると（ブロックＥ１）、コンテンツ受信器２は、ＰＥＳヘッダを解析する（ブロックＥ２）。ＣＰフラグがＯＮで、かつ、PES_private_dataが含まれている場合（ブロックＥ３のＹＥＳ）、コンテンツ受信器２は、PES_private_dataを取得し（ブロックＥ４）、鍵交換処理により生成された映像ＥＳ用の復号鍵およびイニシャルベクターの一部rivを組み合わせて、復号鍵とイニシャルベクターとを設定する（ブロックＥ５）。そして、コンテンツ受信器２は、暗号化されたＰＥＳペイロードをＡＥＳ−ＣＴＲ方式により復号する（ブロックＥ６）。
【００３４】
続いて、コンテンツ受信器２は、ＰＥＳ形式のコンテンツデータをデコードし（ブロックＥ７）、ディスプレイ等へ映像を出力する（ブロックＥ８）。コンテンツ受信器２は、コンテンツ送信器１からのコンテンツ転送中、上記の動作を順次繰り返す。
【００３５】
図７は、音声のデコード処理の手順を示すフローチャートである。
【００３６】
ＤＥＭＵＸにより音声ＥＳが入力されると（ブロックＦ１）、コンテンツ受信器２は、ＣＰフラグがＯＮの場合には（ブロックＦ２のＹＥＳ）、ＳＣＭＳのコピー制御情報として「コピー禁止」を設定し（ブロックＦ３）、一方、ＣＰフラグがＯＦＦ場合には（ブロックＦ２のＮＯ）、ＳＣＭＳのコピー制御情報として「コピー可」を設定する（ブロックＦ４）。即ち、本実施形態の著作権保護コンテンツ転送システムでは、映像の著作権保護に適用する第１の著作権保護方式であるＨＤＣＰ２．０で規定されている（映像の著作権保護有無を通知するための）registration_descriptorを、第２の著作権保護方式であるＳＣＭＳが適用される音声の著作権保護有無を通知するための情報としても利用する。
【００３７】
続いて、コンテンツ受信器２は、ＰＥＳ形式のコンテンツデータをデコードし（ブロックＦ５）、設定したコピー制御情報と共に音声再生器３へ出力する（ブロックＦ６）。コンテンツ受信器２は、コンテンツ送信器１からのコンテンツ転送中、上記の動作を順次繰り返す。
【００３８】
音声再生器３は、コンテンツ受信器２から受信した音声データをスピーカ等へ出力し、また、コンテンツ受信器２から受信したコピー制御情報に従って、音声のコピー制御を行う。
【００３９】
このように、本実施形態の著作権保護コンテンツ転送システムは、１つのコンテンツに対して複数の著作権保護方式を適用する。上記の説明で例示したように、映像の著作権保護にＨＤＣＰ２．０を適用し、音声の著作権保護にＳＣＭＳを適用した場合、コンテンツ送信器１側では、映像の暗号化が要求される条件下において、図８に示すように、音声を暗号化・復号するためのモジュール（１２ｂ）を不要とすることができる。同様に、コンテンツ受信器２側でも、音声を暗号化・復号するためのモジュールを不要とすることができる。即ち、本実施形態の著作権保護コンテンツ転送システムは、著作権保護つきコンテンツの転送機能を低コストで実現する。
【００４０】
なお、以上の説明では、（ＳＣＭＳを適用する）音声のコピー制御として、（映像に適用する）ＨＤＣＰ２．０で規定されたregistration_descriptorの有無を利用する例を示したが、コンテンツ送信器１側でコンテンツ転送アプリケーションの起動直後、ＣＰフラグがＯＮからＯＦＦに切り替わったとき、またはＣＰフラグがＯＦＦからＯＮに切り替わったときのいずれかの場合に、ＲＴＳＰ（Real time streaming protocol）等による通信によって、コピー制御情報をコンテンツ送信器１からコンテンツ受信器２へ通知してもよい。コンテンツ受信器２は、受信したコピー制御情報に従って、音声再生器３へ出力するコピー制御情報を切替える。
【００４１】
また、ここでは、コピー制御情報を「コピー禁止」、「コピー可」のいずれかとしか扱っていないが、コンテンツ送信器１側で再生するコンテンツによっては、「１世代のみコピー可」を扱うケースも考えられる。
【００４２】
（第２実施形態）
次に、第２実施形態について説明する。
【００４３】
図９は、本実施形態に係る著作権保護コンテンツ転送システムのシステム構成を示す図である。
【００４４】
前述した第１実施形態との違いは、コンテンツ送信器１からの映像と音声との転送先機器が分離されている点にある。図９に示すように、本実施形態の著作権保護コンテンツ転送システムでは、コンテンツ送信器１は、映像を第１のコンテンツ受信器２ａ、音声を第２のコンテンツ受信器２ｂに転送する。第１のコンテンツ受信器２ａは、第１実施形態と同様、例えばテレビジョン受像機であり、第２のコンテンツ受信器２ｂは、例えばＡＶアンプである。
【００４５】
本実施形態におけるコンテンツ送信器１の動作は、第１実施形態におけるコンテンツ送信器１の動作と基本的に同様であるが、以下の点が異なる。
【００４６】
（ａ）第１のコンテンツ受信器２ａとの間、第２のコンテンツ受信器２ｂとの間のそれぞれで接続を確立すること
（ｂ）第２のコンテンツ受信器２ｂとの間でＨＤＣＰ２．０の認証／鍵交換処理が不要であること
（ｃ）第１のコンテンツ受信器２ａに転送するコンテンツデータと第２のコンテンツ受信器２ｂに転送するコンテンツデータとをそれぞれＭＰＥＧ２−ＴＳ形式で生成し、第１のコンテンツ受信器２ａに転送するコンテンツデータには、ＥＳとして映像ＥＳのみを含め、第２のコンテンツ受信器２ｂに転送するコンテンツデータには、ＥＳとして音声ＥＳのみを含めること
また、本実施形態における第１のコンテンツ受信器２ａおよび第２のコンテンツ受信器２ｂのいずれの動作も、第１の実施形態におけるコンテンツ受信器２の動作と基本的に同様であるが、第１のコンテンツ受信器２ａが映像のみ、第２のコンテンツ受信器２ｂが音声のみを出力する点が異なる。
【００４７】
コンテンツ送信器１からの映像と音声との転送先が、第１のコンテンツ受信器２ａ、第２のコンテンツ受信器２ｂとに分離されている本実施形態の著作権保護コンテンツ転送システムにおいても、１つのコンテンツに対して複数の著作権保護方式を適用することによって、図１０に示すように、コンテンツ送信器１側では、音声を暗号化・復号するためのモジュール（１２ｂ）を不要とすることができる。ＥＳとして映像ＥＳのみを含むコンテンツデータや、ＥＳとして音声ＥＳのみを含むコンテンツデータは、例えば、映像または音声の一方を多重化モジュール（ＭＵＸ）１３に供給するスイッチ１４を設けることで生成可能である。スイッチ１４は、映像および音声の両方を多重化モジュール（ＭＵＸ）１３に供給するように駆動制御可能に構成してもよい。
【００４８】
また、第１のコンテンツ受信器２ａ側でも、音声を暗号化・復号するためのモジュールを不要とすることができる。さらに、第２のコンテンツ受信器２ｂ側では、暗号化・復号用のモジュールの存在自体を無くすことができる。即ち、本実施形態の著作権保護コンテンツ転送システムも、著作権保護つきコンテンツの転送機能を低コストで実現する。
【００４９】
コンテンツ送信器１から第２のコンテンツ受信器２ｂに対する音声についてのコピー制御情報の通知は、コンテンツ送信器１から第２のコンテンツ受信器２ｂに転送されるコンテンツデータのＰＭＴにregistration_descriptorを含めることで行ってもよいし、ＲＴＳＰ等による通信で行ってもよい。
【００５０】
ＰＭＴにregistration_descriptorを含める場合、第２のコンテンツ受信器２ｂは、PMTにregistration_descriptorが含まれるとき、ＣＰフラグをＯＮにし、ＰＭＴにregistration_descriptorが含まれないときは、ＣＰフラグをＯＦＦにする。ＤＥＭＵＸにより音声ＥＳが入力されると、第２のコンテンツ受信器２ｂは、ＣＰフラグがＯＮの場合はＳＣＭＳのコピー制御情報として「コピー禁止」、ＣＰフラグがＯＦＦの場合はＳＣＭＳのコピー制御情報として「コピー可」を設定する。
【００５１】
一方、ＲＴＳＰ等による通信の場合、第２のコンテンツ受信器２ｂは、コンテンツ送信器１から受信したコピー制御情報に従って、コピー制御を切替える。
【００５２】
なお、ここでは、コンテンツ送信器１が、第１のコンテンツ受信器２ａに対しては、ＥＳとして映像ＥＳのみを含むコンテンツデータを転送し、第２のコンテンツ受信器２ｂに対しては、ＥＳとして音声ＥＳのみを含むコンテンツデータを転送する例を示したが、これに限定されず、第１のコンテンツ受信器２ａおよび第２のコンテンツ受信器２ｂの両方に対して、ＥＳとして映像ＥＳおよび音声ＥＳを含む同一のコンテンツデータをマルチキャストで転送するようにしてもよい。即ち、第１のコンテンツ受信器２ａおよび第２のコンテンツ受信器２ｂそれぞれが、ＥＳを取捨選択するようにしてもよい。いずれにせよコンテンツ送信器１は、映像ＥＳと音声ＥＳとを、例えばＷｉ−Ｆｉモジュール等の１つの通信モジュールから外部に対して送出する。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５４】
１…コンテンツ送信器、２…コンテンツ受信器、２ａ…第１のコンテンツ受信器、２ｂ…第２のコンテンツ受信器、３…音声再生器。
【図１】
0005355746.tif 000002
【図２】
0005355746.tif 000003
【図３】
0005355746.tif 000004
【図４】
0005355746.tif 000005
【図５】
0005355746.tif 000006
【図６】
0005355746.tif 000007
【図７】
0005355746.tif 000008
【図８】
0005355746.tif 000009
【図９】
0005355746.tif 000010
【図１０】
0005355746.tif 000011